(57)【特許請求の範囲】
【請求項１】
中空円筒状の取付装置本体と、この取付装置本体に伸縮自在に装着された、中空円筒状のポール体からなるポール機構とを備え、
前記取付装置本体には案内溝が設けられ、前記案内溝は、前記取付装置本体の軸線方向上方に延びる案内溝部と、この案内溝部の上端部から周方向に延びる接続溝部と、この接続溝部の一端部から上記軸線方向下方に延びる係止溝部とを有しており、
前記ポール機構には、この案内溝に沿って移動される係止ピンが設けられており、
前記ポール機構を上方に持ち上げて所定方向に回動すると、前記ポール機構の前記係止ピンは前記案内溝の前記案内溝部に沿って移動した後前記接続溝部に沿って移動し、しかる後、前記ポール機構を下方に下げると、前記ポール機構の自重によって前記係止ピンが前記案内溝の前記係止溝部に係止する状態となり、かくして前記ポール機構は前記取付装置本体に対して伸張した状態に保持されることを特徴とする安全帯取付装置。
【請求項２】
前記ポール機構は、前記取付装置本体に伸縮自在に装着された第１のポール体と、前記第１のポール体に伸縮自在に装着された第２のポール体を含み、前記第１のポール体に前記係止ピンが設けられており、
前記第１のポール体には、更に、第１の溝が設けられ、前記第１の溝は、前記第１のポール体の軸線方向上方に延びる案内溝部と、この案内溝部の上端部から周方向に延びる接続溝部と、この接続溝部の一端部から上記軸線方向下方に延びる係止溝部とを有しており、
前記第２のポール体には、この第１の溝に沿って移動される第１のピンが設けられており、
前記ポール機構の先端部を上方に持ち上げて所定方向に回動すると、前記ポール機構の前記係止ピンは前記案内溝の前記案内溝部に沿って移動した後前記接続溝部に沿って移動するとともに、前記ポール機構の前記第１のピンは前記第１の溝の前記案内溝部に沿って移動した後前記接続溝部に沿って移動し、しかる後、前記ポール機構を下方に下げると、前記係止ピンが前記第１のポール体の自重によって前記案内溝の前記係止溝部に係止する状態になるとともに、前記第１のピンが前記第２のポール体の自重によって前記第１の溝の前記係止溝部に係止する状態となり、かくして前記ポール機構の前記第１及び第２のポール体は前記取付装置本体に対して伸張した状態に保持されることを特徴とする請求項１記載の安全帯取付装置。
【請求項３】
前記ポール機構は、前記第２のポール体に伸縮自在に装着された第３のポール体を含み、前記第２のポール体には、第２の溝が設けられ、前記第２の溝は、前記第２のポール体の軸線方向上方に延びる案内溝部と、この案内溝部の上端部から周方向に延びる接続溝部と、この接続溝部の一端部から上記軸線方向下方に延びる係止溝部とを有し、前記第３のポール体には、この第２の溝に沿って移動される第２のピンが設けられており、
前記ポール機構の先端部を上方に持ち上げて所定方向に回動すると、前記ポール機構の前記係止ピンは前記案内溝の前記案内溝部に沿って移動した後前記接続溝部に沿って移動するとともに、前記ポール機構の前記第１及び第２のピンは前記第１及び第２の溝の前記案内溝部に沿って移動した後前記接続溝部に沿って移動し、しかる後、前記ポール機構を下方に下げると、前記係止ピンが前記第１のポール体の自重によって前記案内溝の前記係止溝部に係止する状態になるとともに、前記第１及び第２のピンが前記第２及び第３のポール体の自重によって前記第１及び第２の溝の前記係止溝部に係止する状態になり、かくして前記ポール機構の前記第１、第２及び第３のポール体は前記取付装置本体に対して伸張した状態に保持されることを特徴とする請求項２記載の安全帯取付装置。
【請求項４】
前記取付装置本体は、中空円筒状本体と、この中空円筒状本体の下端に固定された取付座とを有し、前記ポール機構は前記中空筒状本体に収納可能に構成され、前記ポール機構を前記中空筒状本体に収納すると、その下端が前記取付座に当接することを特徴とする請求項１〜３のいずれかに記載の安全帯取付装置。
【請求項５】
前記ポール機構の先端部にはフック取付環が設けられ、前記フック取付環には樹脂製リングが設けられていることを特徴とする請求項１〜４記載の安全
【発明の詳細な説明】
【０００１】
【発明の属する技術分野】
本発明は、作業者の墜落を防止するために安全帯を着脱自在に取り付ける安全帯取付装置に関する。
【０００２】
【従来の技術】
例えば、大型変圧器等の保守、点検作業等では、作業者が変圧器のトップカバーの上面に乗って作業を行なっている。大型変圧器は、一般に高さが２ｍ以上あり、それ故に、この変圧器のトップカバー上での作業は、所謂高所作業に該当し、作業者の安全を確保するために、法令、規則によって、各種の安全措置をとることが義務付けられており、この安全措置の一つとして、作業者の墜落を防止するための安全帯を着脱自在に取り付けるための安全帯取付装置を設けるようになっている。
【０００３】
従来の安全帯取付装置の一例として、変圧器のトップカバーに取付部材を固定し、この取付部材に支持ポールを着脱自在に取り付けるようにしたものが知られている。この取付装置では、高所作業に際し、トップカバーに固定した取付部材に支持ポールが着脱自在に取り付けられ、支持ポールの先端環状部に、作業者の腰に付けた安全帯のフックが着脱自在に装着される。そして、作業終了後には、安全帯のフックが外された後に支持ポールが取付部材から外され、トップカバー上には取付部材が残るようになる。
【０００４】
また、安全帯取付装置の他の例として、変圧器のトップカバーの縁部に固定台を固定し、この固定台に中空筒状の支持筒を固定し、かかる支持筒に支持ポールを上下方向にスライド可能に取り付けたものが知られている（特開２０００−９１１２８号公報）。この取付装置では、高所作業に際して、支持ポールが上方にスライドされ、その先端部が支持筒から上方に延びるように突出され、この支持ポールの先端環状部に、作業者の腰に付けた安全帯のフックが着脱自在に装着される。そして、作業終了後には、安全帯のフックが外された後に支持ポールが下方にスライドされ、その大部分が支持筒の下方に位置するように収納される。
【０００５】
【発明が解決しようとする課題】
しかしながら、上述した安全帯取付装置には、次の通りの解決すべき問題がある。支持ポールを取り外しする形態のものでは、変圧器の保守、点検作業の開始時に支持ポールを取り付け、その作業の終了時に支持ポールを取り外さなければならず、支持ポールの取付け、取外し作業が煩雑である。また、支持ポールの自重が約８ｋｇ程度あり、取り扱いが容易でなく、取付け、取外し時に碍子等に当てて損傷するおそれがある。また、支持ポールをスライドさせる形態のものでは、収納時に支持ポールの大部分が支持筒の下方に位置するので、トップカバーの周縁部には取付可能であるが、トップカバーの内側部位には実質上取り付けることができず、その設置場所が大きく制限される。
【０００６】
本発明の目的は、設置場所の制限をほとんど受けることがなく、また変圧器等の高圧部分との電気的絶縁を確保することができる安全帯取付装置を提供することである。
【０００７】
本発明は、中空円筒状の取付装置本体と、この取付装置本体に伸縮自在に装着された、中空円筒状のポール体からなるポール機構とを備え、
前記取付装置本体には案内溝が設けられ、前記案内溝は、前記取付装置本体の軸線方向上方に延びる案内溝部と、この案内溝部の上端部から周方向に延びる接続溝部と、この接続溝部の一端部から上記軸線方向下方に延びる係止溝部とを有しており、
前記ポール機構には、この案内溝に沿って移動される係止ピンが設けられており、
前記ポール機構を上方に持ち上げて所定方向に回動すると、前記ポール機構の前記係止ピンは前記案内溝の前記案内溝部に沿って移動した後前記接続溝部に沿って移動し、しかる後、前記ポール機構を下方に下げると、前記ポール機構の自重によって前記係止ピンが前記案内溝の前記係止溝部に係止する状態となり、かくして前記ポール機構は前記取付装置本体に対して伸張した状態に保持されることを特徴とする安全帯取付装置である。
【０００８】
本発明に従えば、取付装置本体に案内溝が設けられ、この案内溝は、案内溝部、接続溝部及び係止溝部を有し、またポール機構には、この案内溝に沿って移動する係止ピンが設けられているので、ポール機構の先端部を持ち上げると、係合ピンは案内溝の案内溝部に沿って移動し、その後ポール機構を所定方向に回動すると、係合ピンは案内溝の案内溝部から接続溝部に沿って移動し、しかる後ポール機構を下方に下げると、係合ピンがポール機構の自重により案内溝の係止溝部に係止する状態となり、ポール機構は取付装置本体から伸張した状態に保持され、このような簡単な操作でもってポール機構を伸張状態に保持することができる。この伸張状態においては、ポール機構が取付装置本体から上方に延び、所定高さに保つことができる。尚、この伸張状態において、上述したとは反対に、ポール機構を持ち上げた後所定方向とは反対方向に回動し、しかる後下方に下げることによって、ポール機構を取付装置本体に収納することができる。この収納状態でにおいては、ポール機構の下部が取付装置本体に収納されるので、安全帯取付装置全体の高さを低くすることができ、これによって、変圧器等の高圧部分との間隔を保ち、この高圧部分との電気的絶縁を確保することができる。また、この取付装置では、ポール機構が上方に延びるのみであるので、周囲に設置された部材、例えば配管等を気にせずに伸張、収納操作することができ、また設置場所も特に制限を受けることがなく、所望個所に設置することができる。
【０００９】
また、本発明では、前記ポール機構は、前記取付装置本体に伸縮自在に装着された第１のポール体と、前記第１のポール体に伸縮自在に装着された第２のポール体を含み、前記第１のポール体に前記係止ピンが設けられており、
前記第１のポール体には、更に、第１の溝が設けられ、前記第１の溝は、前記第１のポール体の軸線方向上方に延びる案内溝部と、この案内溝部の上端部から周方向に延びる接続溝部と、この接続溝部の一端部から上記軸線方向下方に延びる係止溝部とを有しており、
前記第２のポール体には、この第１の溝に沿って移動される第１のピンが設けられており、
前記ポール機構の先端部を上方に持ち上げて所定方向に回動すると、前記ポール機構の前記係止ピンは前記案内溝の前記案内溝部に沿って移動した後前記接続溝部に沿って移動するとともに、前記ポール機構の前記第１のピンは前記第１の溝の前記案内溝部に沿って移動した後前記接続溝部に沿って移動し、しかる後、前記ポール機構を下方に下げると、前記係止ピンが前記第１のポール体の自重によって前記案内溝の前記係止溝部に係止する状態になるとともに、前記第１のピンが前記第２のポール体の自重によって前記第１の溝の前記係止溝部に係止する状態となり、かくして前記ポール機構の前記第１及び第２のポール体は前記取付装置本体に対して伸張した状態に保持されることを特徴とする。
【００１０】
本発明に従えば、ポール機構は第１及び第２のポール体を備え、第１のポール体に、取付装置本体の案内溝に沿って案内される係止ピンが設けられ、また第１のポール体には第１の溝が設けられているとともに、第２のポール体にはこの第１の溝に沿って案内される第１のピンが設けられているので、ポール機構の先端部を上方に持ち上げると、係合ピン及び第１のピンは案内溝及び第１の溝の案内溝部に沿って移動し、その後ポール機構を所定方向に回動すると、係合ピン及び第１のピンは案内溝及び第１の溝の案内溝部から接続溝部に沿って移動し、しかる後ポール機構を下方に下げると、係合ピン及び第１のピンが第１及び第２のポール体の自重によって案内溝及び第１の溝の係止溝部に係止する状態になり、ポール機構の第１及び第２ポール体は取付装置本体から伸張した状態に保持され、このような簡単な操作でもってポール機構を２段に伸張させて保持することができる。尚、この伸張状態において、上述したとは反対に、ポール機構を持ち上げた後所定方向とは反対方向に回動し、しかる後下方に下げることによって、ポール機構の第１及び第２のポール体を取付装置本体に収納することができ、このように２段に収納することによって、収納状態における安全帯取付装置全体の高さをより低くすることができ、これによって、変圧器等の高圧部分との電気的絶縁を一層確保することができる。
【００１１】
また、本発明では、前記ポール機構は、前記第２のポール体に伸縮自在に装着された第３のポール体を含み、前記第２のポール体には、第２の溝が設けられ、前記第２の溝は、前記第２のポール体の軸線方向上方に延びる案内溝部と、この案内溝部の上端部から周方向に延びる接続溝部と、この接続溝部の一端部から上記軸線方向下方に延びる係止溝部とを有し、前記第３のポール体には、この第２の溝に沿って移動される第２のピンが設けられており、
前記ポール機構の先端部を上方に持ち上げて所定方向に回動すると、前記ポール機構の前記係止ピンは前記案内溝の前記案内溝部に沿って移動した後前記接続溝部に沿って移動するとともに、前記ポール機構の前記第１及び第２のピンは前記第１及び第２の溝の前記案内溝部に沿って移動した後前記接続溝部に沿って移動し、しかる後、前記ポール機構を下方に下げると、前記係止ピンが前記第１のポール体の自重によって前記案内溝の前記係止溝部に係止する状態になるとともに、前記第１及び第２のピンが前記第２及び第３のポール体の自重によって前記第１及び第２の溝の前記係止溝部に係止する状態になり、かくして前記ポール機構の前記第１、第２及び第３のポール体は前記取付装置本体に対して伸張した状態に保持されることを特徴とする。
【００１２】
本発明に従えば、ポール機構は更に第３のポール体を備え、第２のポール体には第２の溝が設けられ、第３のポール体には、この第２の溝に沿って移動される第２のピンが設けられているので、ポール機構の先端部を上方に持ち上げると、係合ピン並びに第１及び第２のピンは案内溝並びに第１及び第２の溝の案内溝部に沿って移動し、その後ポール機構を所定方向に回動すると、係合ピン並びに第１及び第２のピンは案内溝並びに第１及び第２の溝の案内溝部から接続溝部に沿って移動し、しかる後ポール機構を下方に下げると、係合ピン並びに第１及び第２のピンが第１〜第３のポール体の自重によって案内溝並びに第１及び第２の溝の係止溝部に係止する状態となり、ポール機構の第１、第２及び第３のポール体は取付装置本体から伸張した状態に保持され、このような簡単な操作でもってポール機構を３段に伸張させて保持することができる。尚、この伸張状態において、上述したとは反対に、ポール機構を持ち上げた後所定方向とは反対方向に回動し、しかる後下方に下げることによって、ポール機構の第１、第２及び第３のポール体を取付装置本体に収納することができ、このように３段階に収納することによって、収納状態における安全帯取付装置の全高を一層低くすることができ、これによって、変圧器等の高圧部分との間隔を一層大きく保つことができる。
【００１３】
また、本発明では、前記取付装置本体は、中空円筒状本体と、この中空円筒状本体の下端に固定された取付座とを有し、前記ポール機構は前記中空筒状本体に収納可能に構成され、前記ポール機構を前記中空筒状本体に収納すると、その下端が前記取付座に当接することを特徴とする。
本発明に従えば、装置取付本体は中空円筒状本体と、この中空円筒状本体の下端に固定された取付座を有し、ポール機構を中空筒状本体に収納すると、その下端が取付座に当接するので、このときポール機構の係合ピンが取付装置本体の案内溝の下端に当接することが回避され、かくして係止ピンに大きな衝撃が作用するのを防止することができる。
【００１４】
更に、本発明では、前記ポール機構の先端部にはフック取付環が設けられ、前記フック取付環には樹脂製リングが設けられていることを特徴とする。
本発明に従えば、ポール機構の先端部に設けられたフック取付環に樹脂製リングが設けられ、ポール機構を取付装置本体に収納すると、この樹脂製リングが取付装置本体等に当接するようになるので、フック取付環が当接するのを防止し、収納時の衝撃を少なくすることができる。また、樹脂製リングの当接状態においては、ボール取付環と取付装置本体との間にある程度の空間が確保されるので、作業者の指等が挟まることがなく、充分な安全性も確保される。
【００１５】
【発明の実施の形態】
以下、添付図面を参照して、本発明に従う安全帯取付装置の一実施形態について説明する。図１は、本発明に従う安全帯取付装置の一実施形態を設置した状態を示す図であり、図２は、図１の安全帯取付装置を収納した状態で示す断面図であり、図３は、図１の安全帯取付装置を伸張した状態で示す正面図であり、図４（ａ）及び（ｂ）は、図１の安全帯取付装置の取付装置本体を示す正面図及び平面図であり、図５（ａ）及び（ｂ）は、図１の安全帯取付装置の第１のポール体を示す正面図及び平面図であり、図６（ａ）及び（ｂ）は、図１の安全帯取付装置の第２のポール体を示す正面図及び平面図であり、図７（ａ）及び（ｂ）は、図１の安全帯取付装置の第３のポール体を示す正面図及び平面図である。
【００１６】
図１において、図示の安全帯取付装置２は、例えば、高圧変圧器４のトップカバー６の上面に設置される。この形態では、トップカバー６の所定部位に取付架台８が溶接の如き手段によって固定され、この取付架台８の取付プレート１０に上記安全帯取付装置２が取り付けられる。安全帯取付装置２はこのような取付構造に限定されることなく、その他の構造、例えばトップカバー６に支持アングル、補強アングル等を固定し、この支持アングル、補強アングルに取付架台８を介して安全帯取付装置２を設置するようにしてもよい。
【００１７】
高圧変圧器４のトップカバー６には、また、支持カバー１２が取り付けられ、この支持カバー１２の上端に天カバー１４が固定され、この天カバー１４の上面に高圧用碍子１６が取り付けられ、この高圧用碍子１６の上端部に、高圧接続部を覆うブッシング１８が装着されている。高圧変圧器４においては、ブッシング１８に覆われている部分に高圧電圧が印加されるので、例えば、ブッシング１８との間に所定の間隔を保って電気的絶縁を確保しなければならず、支持カバー１２及び天カバー１４等はこのブッシング１８から所定間隔以上離れて設けられ、ブッシング１８との間に充分な電気的絶縁が確保されている。
【００１８】
次に、図示の安全帯取付装置２について説明すると、この安全帯取付装置２は、取付装置本体２０とこの取付装置本体２０に伸縮自在に装着されたポール機構２１から構成され、この形態では、このポール機構２１が第１のポール体２２、第２のポール体２４及び第３のポール体２６から構成されている。図１〜図４を参照して、図示の取付装置本体２０は、中空円筒状本体２８と、この中空円筒状本体２８の下端に溶接の如き手段により固定された取付座３０とを有しており、この取付座３０を取付架台８の取付プレート１０に載置して固定用ボルト及びナット（いずれも図示せず）を用いてこれらを連結することによって、取付装置本体２０が取付架台８に取り付けられる。
【００１９】
中空円筒状本体２８と取付座３０との接続部には、周方向に間隔をおいて４個の補強プレート３２が固定されている。また、取付座３０の略中央部には貫通孔３４が設けられ、中空円筒状本体２８の内部と外部とがこの貫通孔３４を介して連通され、この貫通孔３４を通して空気が流入、流出し、これによって、後述するポール機構２１の伸縮がスムースとなる。この中空円筒状本体２８の所定部位には案内溝３６が設けられている。この案内溝３６については、後述する。
【００２０】
次に、図２、図３及び図５を参照して、第１のポール体２２について説明すると、図示の第１のポール体２２は、中空円筒状のポール本体３８から構成されている。ポール本体３８の外径は取付装置本体２０の中空円筒状本体２８の内径とほぼ等しく、その軸線方向（図１〜図３において上下方向）の長さは中空円筒状本体２８の軸線方向（図１〜図３において上下方向）の長さと実質上等しく、このポール体３８は、図２及び図３に示すように、取付装置本体２０の中空円筒状本体２８の内側に伸縮自在に装着される。このポール本体３８の下部の所定部位には、取付装置本体２０の案内溝３６内に位置してこれに沿って移動する係止ピン４０が取り付けられ、またポール本体３８の上記所定部位と異なる他の所定部位に第１の溝４２が設けられている。この第１の溝４２についても後述する。
【００２１】
図２、図３及び図６を参照して、第２のポール体２４について説明すると、図示の第２のポール体２４は、上述した第１のポール体２２と略同一の構成であり、中空円筒状のポール本体４４から構成されている。ポール本体４４の外径は第１のポール体２２のポール本体３８の内径とほぼ等しく、その軸線方向（図１〜図３において上下方向）の長さはポール本体３８の軸線方向の長さと実質上等しく、このポール本体４４は、図２及び図３に示すように、第１のポール体２２のポール本体３８の内側に伸縮自在に装着される。このポール本体４４の下部の所定部位には、第１のポール体２２の第１の溝４２内に位置してこれに沿って移動する第１のピン４６が取り付けられ、またポール本体４４の上記所定部位と異なる他の所定部位に第２の溝４８が設けられている。この第２の溝４８についても後述する。
【００２２】
図２、図３及び図７を参照して、第３のポール体２６について説明すると、図示の第３のポール体２６は、上述した第２のポール体２４と略同一の構成であり、中空円筒状のポール本体５０から構成されている。ポール本体５０の外径は第２のポール体２４のポール本体４４の内径とほぼ等しく、その軸線方向（図１〜図３において上下方向）の長さはポール本体３８の軸線方向の長さよりも幾分長く、このポール本体５０は、図２及び図３に示すように、第２のポール体２４のポール本体４４の内側に伸縮自在に装着される。このポール本体５０の下部の所定部位には、第２のポール体２４の第２の溝４８内に位置してこれに沿って移動する第２のピン５２が取り付けられている。
【００２３】
この安全帯取付装置２においては、ポール機構２１の収納状態においては、図２に示すように、取付装置本体２０の中空円筒状本体２８の内側に第１のポール体２２のポール本体３８全体が実質上収納され、この第１のポール体２２のポール体３８の内側に第２ポール体２４のポール本体４４全体が実質上収納され、この第２のポール体２４のポール本体４４の内側に第３ポール体２６のポール本体５０の大部分が収納され、第３ポール体２６のポール本体５０の上端部が取付装置本体２０から上方に突出し、ポール本体５０のこの突出部にフック取付環５４が装着されている。
【００２４】
この形態では、第３のポール体２６のポール本体５０には、これを貫通してねじ部材５６が取り付けられ、フック取付環５４が、ねじ部材５６の、ポール本体５０から突出する両端部に、例えば溶接の如き手段によって固定されている。また、ねじ部材５６の、ポール本体５０の内側部位には固定用ナット５８が螺着され、このねじ部材５６の回動を防止している。また、各フック取付環５４とポール体５０との間には、樹脂製リング６１が介在されている。樹脂製リング６１はフック取付環５４の基部に被嵌され、ポール機構２１を収納状態にすると、この樹脂製リング５４が第１及び第２ポール体２２，２４の上面に当接し、これによって、フック取付環５４が取付装置本体２０等に直接的に当接するのを防止している。更に、第３のポール体２６の上端には、その上面開口を塞ぐための樹脂製キャップ部材６０が到着されており、このキャップ部材６０の上面に、例えば使用方法を表示したステッカー（図示せず）が貼付される。
【００２５】
次に、主として図４〜図６を参照して、取付装置本体２０の案内溝３６並びに第１及び第２のポール体２２，２４の第１及び第２の溝４２、４８について説明すると、この形態では、案内溝３６並びに第１及び第２の溝４２，４８は実質上同一の構成であり、以下、案内溝３６（第１及び第２の溝４２，４８）について説明する。案内溝３６（溝４２，４８）は、中空円筒状本体２８の下部から上部に軸線方向に長く延びる案内溝部６２と、この案内溝部６２の上端から周方向に延びる接続部６４と、この接続部６４の先端から下方に短く延びる係止溝部６６とを有しており、第１のポール体２２（ポール体２４，２６）の係止ピン４０（ピン４６，５２）は、案内溝部６２，接続溝部６４及び係止溝部６６を通して後述する如く移動される。
【００２６】
この形態の安全帯取付装置２においては、取付装置本体２０並びに第１、第２及び第３のポール体２２，２４，２６が例えば強化アルミニウムから形成され、このように形成することによって、取付装置の軽量化が達成され、設置等の取り扱いが容易となるとともに、屋外に設置した際に問題となる錆の発生を防ぐことができる。また、係止ピン４０並びに第１及び第２のピン４６，５２は、充分な強度を確保するために、例えばステンレス鋼から形成される。これらピン４０，４６，５２の突出量は、中空の円筒状本体２８並びに第１及び第２のポール本体３８，４４の肉厚とほぼ等しく、従ってピン４０，４６，５２の先端が半径方向外方に突出することなく溝３６，４２．４８内に収容されている。かかる係止ピン４０並びに第１及び第２のピン４６，５２は、第１、第２及び第３にポール体２２，２４，２６に例えば圧入の如き手段によって固定してもよく、或いはねじ結合により固定するようにしてもよいが、ねじ結合により固定する場合には、第１、第２及び第３のポール体２２，２４，２６に螺合するに際し、ねじ強化部材（例えば、商品名「ヘリサート」として販売されているもの）を介在させて係止ピン４０並びに第１及び第２のピン４６，５２を螺着するのが好ましく、このように構成することによって、第１、第２及び第３のポール体２２，２４，２６のねじ部の強度を高めることができる。
【００２７】
次に、主として図１〜図３を参照して、上述した安全帯取付装置２の伸縮操作について説明する。この安全帯取付装置２は、高圧変圧器４の保守点検をするに際し、図１に二点鎖線で示すとともに図３に示すように伸張される。このように伸張するには、ポール機構２１の先端部、この形態では取付装置本体２０から突出する第３のポール体２６の先端部を上方に持ち上げた後所定方向（この形態では、取付装置本体２０に対して時計方向）に回動し、しかる後下方に下げればよい。ポール機構２１の先端部を上方に持ち上げると、図３から理解される如く、第３のポール体２６の第２のピン５２が第２のポール体２４の第２の溝４８の案内溝部６２に沿って移動してその上端に当接し、この当接後は第３のポール体２６の移動に伴って第２のポール体２４が持ち上げられ、第２のポール体２４の第１のピン４６が第１のポール体２２の第１の溝４２の案内溝部６２に沿って移動する。そして、第１のピン４６が第１の溝４２の案内溝部６２の上端に当接した後は、第２のポール体２４の移動に伴って第１のポール体２２が持ち上げられ、第１のポール体２４の係止ピン４０が取付装置本体２０の案内溝３６の案内溝部６２に沿って移動し、この係止ピン４０が案内溝３６の案内溝部６２の上端に当接することによって、第１のポール体２２の移動が阻止される。
【００２８】
そして、この状態から第３のポール体２６を所定方向に回動すると、第３のポール体２６の第２のピン５２が第２の溝４８の接続溝部６４に沿って移動してその先端に当接し、その後第３のポール体２６の移動に伴って第２のポール体２４が所定方向に回動され、第２のポール体２４の第１のピン４６が第１の溝４２の接続溝部６４に沿って移動し、この第１のピン４６が第１の溝４２の接続溝部６４の先端に当接した後は、第２のポール体２４の移動に伴って第１のポール体２２が所定方向に回動され、第１のポール体２４の係止ピン４０が取付装置本体２０の案内溝３６の接続溝部６４に沿って移動して接続溝部６４の先端に当接し、かく当接することによって、第１のポール体２２の所定方向の回動が阻止される。
【００２９】
そして、かかる状態から下方に下げると、図３から容易に理解される如く、第１のポール体２２の係止ピン４０が案内溝３６の係止溝部６６に沿って移動して第１のポール体の自重によってその下端に当接し、その後第３のポール体２６を下げると、第２のポール体２４の第１のピン４６が第１の溝４２の係止溝部６６に沿って移動して第２のポール体の自重によってその下端に当接し、その後更に第３のポール体２６を下げると、第３のポール体２６の第２のピン５２が第２の溝４８の係止溝部６６に沿って移動して第３のポール体の自重によってその下端に当接し、これによって、第３のポール体２６下移動が阻止される。このように、ポール機構２１の先端部を持ち上げ、所定方向に回動し、その後下方に下げるという簡単な操作でもって、安全帯取付装置２を上記伸張状態に保持することができる。
【００３０】
ポール機構２１の伸張状態においては、その先端部、換言するとフック取付環５４の高さが変圧器４のトップカバー６から約１ｍの高さとなり、変圧器を保守、点検する作業者は、腰につけた安全帯のフックをフック取付環５４に着脱自在に取り付けることによって、高所においても安全に作業を行うことができる。
【００３１】
伸張状態の安全帯取付装置２を収納状態にするには、ポール機構２１の先端部、この形態では第３のポール体２６の上端部を上方に持ち上げた後所定方向と反対方向に回動し、しかる後下方に下げればよい。第３のポール体５０を持ち上げると、上述した記載から容易に理解される如く、係合ピン４０並びに第１及び第２のピン４６，５２が案内溝３６並びに第１及び第２の溝４２，４８の係止溝部６６を移動してその上端に当接し、その後上記所定方向と反対方向に回動すると、係合ピン４０並びに第１及び第２のピン４６，５２が案内溝３６並びに第１及び第２の溝４２，４８の接続溝部６４を移動してその基部に当接し、その後下方にさげると、係合ピン４０並びに第１及び第２のピン４６，５２が案内溝３６並びに第１及び第２の溝４２，４８の案内溝部６２を移動してその下部に位置する。このとき、係合ピン４０並びに第１及び第２のピン４６，５２がこれら溝３６，４２，４８の案内溝部６２の下端に当接する前に、第１、第２及び第３のポール体２２，２４，２６の下端が取付装置本体２０の取付座３０に当接して図１に実線示すとともに図２に示す収納状態に保持され、これらピン４０，４６，５２が対応する溝３６，４２，４８の下端に当接するのが回避され、ピン４０，４６，４６に大きな衝撃力が作用するのを防止することができる。
【００３２】
この収納状態においては、安全帯取付装置２の上端は天カバー１４に下方に位置し、この位置関係に保つことによって、変圧器４のブッシング１８から所定間隔以上離れて電気的絶縁が確保されていることが容易に確認することができる。
上述した安全帯取付装置２では、取付装置本体２０に対してポール機構２１が伸縮する構成であるので、設置場所に制限を受けることが少なく、広い適用範囲に取り付けることができる。
【００３３】
また、このような安全帯取付装置においては、取付装置本体２０及び収納状態においてこれから突出するポール機構２１の先端部（この形態では、第３のポール体２６の先端部）を、例えば変圧器４と同色の塗装を施すとともに、ポール機構２１のその他の部分（この形態では、第１及び第２ポール体２２，２４の全体並びに第３のポール帯２６の残りの大部分）を、変圧器４とは異なる色、例えば黄赤色の塗装を施すようにすることもできる。このように構成した場合、安全帯取付装置２の外観、特にその塗装色を見ることによって、収容状態、換言すると電気的絶縁が確保された状態であるのが、伸張状態、換言すると電気的絶縁が確保されていない状態であるのかを容易に判断することができ、保守、点検後の作業安全確認を容易に行うことができる。
【００３４】
以上、本発明に従う安全帯取付装置の一実施形態について説明したが、本発明はかかる実施形態に限定されるものではなく、本発明の範囲を逸脱することなく種々の変形乃至修正が可能である。
例えば図示の実施形態では、案内溝３６並びに第１及び第２の溝４２，４８をそれぞれ一つずつ設けているが、これに限定されることなく、これら溝３６，４２．４８をそれぞれ二つずつ設け、このことに対応して、係合ピン４０並びに第１及び第２のピン４６，５２も二つずつ設けるようにしてもよい。
【００３５】
また、例えば、図示の実施形態では、安全帯取付装置２全体を４段に構成している（ポール機構２１を３段に収納する）が、これに限定されず、この安全帯取付装置全体を２段、３段又は５段以上に構成するようにしてもよい。
【図面の簡単な説明】
【図１】本発明に従う安全帯取付装置の一実施形態を設置した状態を示す図である。
【図２】図１の安全帯取付装置を収納した状態で示す断面図である。
【図３】図１の安全帯取付装置を伸張した状態で示す正面図である。
【図４】図４（ａ）及び（ｂ）は、図１の安全帯取付装置の取付装置本体を示す正面図及び平面図である。
【図５】図５（ａ）及び（ｂ）は、図１の安全帯取付装置の第１のポール体を示す正面図及び平面図である。
【図６】図６（ａ）及び（ｂ）は、図１の安全帯取付装置の第２のポール体を示す正面図及び平面図である。
【図７】図７（ａ）及び（ｂ）は、図１の安全帯取付装置の第３のポール体を示す正面図及び平面図である。
【符号の説明】
２  安全帯取付装置
４  高圧変圧器
２０  取付装置本体
２１  ポール機構
２２  第１のポール体
２４  第２のポール体
２６  第３のポール体
３６  案内溝
４０  係止ピン
４２  第１の溝
４６  第１のピン
４８  第２の溝
５２  第２のピン
５４  フック取付環
６２  案内溝部
６４  接続溝部
６６  係止溝部
【図１】
0004531999.tif 000002
【図２】
0004531999.tif 000003
【図３】
0004531999.tif 000004
【図４】
0004531999.tif 000005
【図５】
0004531999.tif 000006
【図６】
0004531999.tif 000007
【図７】
0004531999.tif 000008